(57)【特許請求の範囲】
【請求項１】
測定能力を報告する方法であって、当該方法は、
ユーザ装置ＵＥが自身の測定能力を基地局に報告するステップを含み、前記測定能力は、ＵＥが１つの周波数バンド又はキャリアアグリゲーションシナリオにおいて動作する場合に、ＵＥが異周波数及び異システム測定を実行するための測定間隔が要求されるかどうかの能力であり、
最大でｎ個のキャリアアグリゲーションがサポートされる場合に、キャリアアグリゲーションシナリオが、ｎ個のキャリアがアグリゲートされるシナリオを含み、
最大でｎ個のキャリアアグリゲーションがサポートされる場合に、キャリアアグリゲーションシナリオが、１個のキャリア、及び／又は２個のキャリア、及び／又は３個のキャリア、……、及び／又はｎ−１個のキャリアがアグリゲートされるシナリオを更に含み、
ＵＥによって報告されたＵＥ測定能力と、キャリアアグリゲーション能力をサポートするインデックスとは、同じである、
前記方法。
【請求項２】
ＵＥが自身の測定能力を報告する前に、基地局がＵＥ能力照会メッセージをＵＥに送信するステップを更に含む、
請求項１に記載の方法。
【請求項３】
ＵＥが自身の測定能力を基地局に報告するとともに、自身のキャリアアグリゲーション能力を報告するステップを更に含む、
請求項１に記載の方法。
【請求項４】
ＵＥであって、
当該ＵＥは、自身の測定能力を基地局に報告するように設定され、前記測定能力は、ＵＥが１つの周波数バンド又はキャリアアグリゲーションシナリオで動作する場合、ＵＥが異周波数及び異システム測定を実行するための測定間隔が要求されるかどうかの能力であり、
最大でｎ個のキャリアアグリゲーションがサポートされる場合に、キャリアアグリゲーションシナリオが、ｎ個のキャリアがアグリゲートされるシナリオを含み、
最大でｎ個のキャリアアグリゲーションがサポートされる場合に、キャリアアグリゲーションシナリオが、１個のキャリア、及び／又は２個のキャリア、及び／又は３個のキャリア、……、及び／又はｎ−１個のキャリアがアグリゲートされるシナリオを更に含み、
ＵＥによって報告されたＵＥ測定能力と、キャリアアグリゲーション能力をサポートするインデックスとは、同じである、
前記ＵＥ。
【請求項５】
ＵＥが自身の測定能力を基地局に報告することは、ＵＥが基地局によって送信されたＵＥ能力照会メッセージに応じて報告を行うことである、
請求項４に記載のＵＥ。
【発明の詳細な説明】
【技術分野】
【０００１】
本発明は、デジタルモバイル通信技術分野に関し、特に、測定能力の報告方法及びユーザ装置（ＵＥ：Ｕｓｅｒ  Ｅｑｕｉｐｍｅｎｔ）に関する。
【背景技術】
【０００２】
セルラーモバイル通信システムでは、セルの再選択とハンドオーバーはその重要な機能である。セルの再選択を順調に実現するために、ＵＥは異なるセルの信号品質に対して測定を行う必要があり、これにより適当なセルを選択して常駐する。ＵＥは、あるセルにおいて、ネットワークとの接続を確立した後、ＵＥは依然としてそのセルに隣接するセルの信号品質に対して測定を行う必要があり、これにより適当なセルを選択してハンドオーバーを行い、移動性の要求を満たす。
【０００３】
接続状態におけるＵＥの測定の具体的なプロセスは、ネットワーク側が測定制御メッセージをＵＥに送信することを含み、ここで、当該測定制御メッセージには測定識別子（ＭＩＤ：Ｍｅａｓｕｒｅｍｅｎｔ  Ｉｄｅｎｔｉｔｙ）、測定オブジェクト（ＭＯ：Ｍｅａｓｕｒｅｍｅｎｔ  Ｏｂｊｅｃｔ）、レポート構成（ＲＣ：Ｒｅｐｏｒｔ  Ｃｏｎｆｉｇｕｒａｔｉｏｎ）及び測定の他の関連属性を含み、ＵＥは、測定制御メッセージにおける測定オブジェクト、レポート構成に応じて測定を実行し、且つ測定結果に基づいて測定報告を生成してネットワーク側に報告する。一般的に、各測定タスクには測定識別子、測定オブジェクト属性（例えば、キャリア周波数（キャリアの中心周波数、即ち絶対無線周波数チャネル番号（ＡＲＦＣＮ：Ａｂｓｏｌｕｔｅ  Ｒａｄｉｏ  Ｆｒｅｑｕｅｎｃｙ  Ｃｈａｎｎｅｌ  Ｎｕｍｂｅｒ））、隣接セルリスト等）及びレポート構成属性（例えば、トリガーイベントがトリガー条件により（Ａ１、Ａ２…）定義された、イベントトリガー報告又は周期的報告、トリガー条件に関連する閾値、オフセット、トリガー時間（ＴＴＴ：Ｔｉｍｅ  Ｔｏ  Ｔｒｉｇｇｅｒ）等）を含む。測定オブジェクトの位置するキャリア周波数に応じて、測定タスクは、同周波数測定と異周波数測定とに分けられ、即ち測定オブジェクトのキャリア周波数とサービングセルの位置するキャリア周波数（サービングセルが位置するキャリア周波数とはＵＥが当該サービングセルと通信する中心周波数である）とが同じであると、測定タスクは同周波数測定であり、測定オブジェクトのキャリア周波数とサービングセルの位置するキャリア周波数とが異なると、測定タスクは異周波数測定であり、異周波数測定とは、測定オブジェクトがＥ−ＵＴＲＡＮの測定タスクでなく、例えば、測定オブジェクトがＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ＣＤＭＡ２０００（Ｃｏｄｅ  Ｄｉｖｉｓｉｏｎ  Ｍｕｌｔｉｐｌｅ  Ａｃｃｅｓｓ）、ＧＥＲＡＮ（ＧＳＭ（登録商標）  ＥＤＧＥ  Ｒａｄｉｏ  Ａｃｃｅｓｓ  Ｎｅｔｗｏｒｋ）である測定タスクである。同周波数測定タスクの測定に対して、ＵＥが直接測定を実行でき、測定間隔（ｍｅａｓｕｒｅｍｅｎｔ  ｇａｐ）が必要ない。異周波数及び異システム測定タスクの測定に対して、ＵＥがネットワーク側に測定間隔を設定するように要求する必要があり、即ち所定の期間を指定して、この期間内において、ＵＥがサービングセルとの通信を一時的に中断して異周波数及び異システムの測定を実行する。測定間隔を構成する必要がある場合、基地局がＲＲＣ再構成メッセージを介して測定間隔をＵＥに構成する。
【０００４】
ＬＴＥでは、ＵＥが接続状態で１つのみのセルを介して基地局と通信し、ＵＥが異周波数及び異システム測定タスクの測定を実行する場合、基地局がＵＥからの能力の報告に基づいて測定間隔をＵＥに構成することを決定し、ＵＥがこの測定間隔の所定時間内に、異周波数及び異システム測定を実行し、基地局はＵＥをスケジュールしない。図１は関連技術においてＵＥが測定能力を報告するフローチャートであり、図１に示すように、基地局はＵＥ能力照会（ＵＥ  Ｃａｐａｂｉｌｉｔｙ  Ｅｎｑｕｉｒｙ）メッセージを介して、ＵＥに測定能力を報告することを要求し、ＵＥはＵＥ能力情報（ＵＥ  Ｃａｐａｂｉｌｉｔｙ  Ｉｎｆｏｒｍａｔｉｏｎ）メッセージを介して自身の測定能力を基地局に報告し、それにはＵＥが異周波数及び異システム測定タスクの測定を実行するための測定間隔が要求されるかどうかの能力が含まれ、具体的には、ＵＥが周波数バンドｘ上のある周波数に位置する場合、周波数バンドｙ上の周波数に位置するＵＥのために測定間隔が要求されるかどうかが測定され、ここで、ｙはｘに等しくてよく、この時、ＵＥが周波数バンドｘ上のある周波数に位置する場合、ＵＥが周波数バンドｘ上の異周波数を測定するための測定間隔が要求されるかどうかを示す。周波数バンドとは、特定の上り及び下り周波数バンドの番号であり、例えば３６．１０１（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）、Ｕｓｅｒ  Ｅｑｕｉｐｍｅｎｔ  （ＵＥ）  ｒａｄｉｏ  ｔｒａｎｓｍｉｓｓｉｏｎ  ａｎｄ  ｒｅｃｅｐｔｉｏｎ）において表５．５−１に記載のものであり、周波数バンド１はＦＤＤにおける上り１９２０ＭＨｚ〜１９８０ＭＨｚ及び下り２１１０ＭＨｚ〜２１７０ＭＨｚからの周波数バンドを示す。
【０００５】
モバイルユーザのために、更に高いデータ速度を提供するために、ロングタームエボリューションアドバンスド（ＬＴＥ−Ａ：Ｌｏｎｇ  Ｔｅｒｍ  Ｅｖｏｌｕｔｉｏｎ  Ａｄｖａｎｃｅ）システムはキャリアアグリゲーション（ＣＡ：Ｃａｒｒｉｅｒ  ａｇｇｒｅｇａｔｉｏｎ）技術を提案し、その目的は、相応な能力を有するＵＥに更に大きい広帯域を提供することであり、ＵＥのピーク値速度を向上させることにある。ＬＴＥでは、システムがサポートする最大下り伝送帯域幅は２０ＭＨｚであり、一方で、キャリアアグリゲーションは、２つ又はそれ以上のコンポーネントキャリア（ＣＣ：Ｃｏｍｐｏｎｅｎｔ  Ｃａｒｒｉｅｒｓ）をアグリゲート（ａｇｇｒｅｇａｔｅ）して２０ＭＨｚより大きく、且つ最大でも１００ＭＨｚを超えない伝送帯域幅をサポートする。キャリアアグリゲーションは、各コンポーネントキャリアが周波数領域で連続するかどうかによって、連続的なキャリアアグリゲーションと不連続的なキャリアアグリゲーションに分けられいてもよく、このため、キャリアアグリゲーションにおいて、ＵＥは、接続状態に入った後、同時に複数のセルを介して基地局と通信し、ＵＥが異周波数及び異システム測定タスクの測定を実行する場合、基地局は、ＵＥに測定間隔を構成することを決定し、ＵＥは、この測定間隔の所定時間内に、異周波数及び異システム測定を実行し、基地局はＵＥをスケジュールしない。
【０００６】
現在定義されている、ＬＴＥ−Ａがサポートするシステム内測定イベントは、
イベントＡ１：プライマリ又はセカンダリサービングセルの信号品質が所定閾値より高い。
イベントＡ２：プライマリ又はセカンダリサービングセルの信号品質が所定閾値より低い。
イベントＡ３：隣接セルの信号品質がプライマリサービングセルの信号品質より１所定オフセット高い。
イベントＡ４：隣接セルの信号品質が所定閾値より高い。
イベントＡ５：プライマリサービングセルの信号品質が所定閾値１より低く、隣接セルの信号品質が所定閾値２より高い。
イベントＡ６：隣接セルの信号品質がセカンダリサービングセルの信号品質より１所定オフセット高い。
現在定義されているＬＴＥ−Ａがサポートするシステム間測定イベントは、
イベントＢ１：隣接セルの信号品質が所定閾値より高い。
イベントＢ２：プライマリサービングセルの信号品質が所定閾値１より低く、隣接セルの信号品質が所定閾値２より高い。
【０００７】
キャリアアグリゲーションをサポートするために、ＵＥの無線周波数構造は相応な要求を満たす必要がある。ＬＴＥ−Ａでは、ＵＥの受信機は２種類があり、１つは単一受信機であり、２０ＭＨｚを超える帯域幅をサポートし、同周波数バンド内の連続的なキャリアアグリゲーションのみをサポートする。もう１つは複数の受信機を有し、各受信機は２０ＭＨｚ以下の帯域幅をサポートし、同周波数バンド内の連続的なキャリアアグリゲーション及び異周波数バンド内の不連続的キャリアアグリゲーションをサポートする。ＵＥ受信機の構造体は内部実装型であり、現在の共通認識によれば、基地局のアルゴリズムがこれらの内部構造体をシールドする必要があるため、ある場合においては、基地局は、ＵＥが異周波数及び異システム測定を実行するための測定間隔を構成する必要があるかどうかを確定できない。図２は、１つの実施形態におけるＵＥの構造模式図であり、図２に示すように、当該ＵＥは２つの独立した受信機を有し、それぞれ２０Ｍの帯域幅をサポートし、受信機１は周波数バンド１／２／３における動作をサポートし、受信機２は周波数バンド１／４／５における動作をサポートし、基地局がＵＥに周波数バンド１における１つのコンポーネントキャリアのみを構成する場合、ＵＥは受信機１又は受信機２を動作状態に入れることができ、更に、受信機１が利用される場合、ＵＥが周波数バンド２／３における異周波数測定を実行するための測定間隔が要求され、周波数バンド４／５における異周波数測定を実行するための測定間隔が要求されない。しかし、キャリアアグリゲーションでは、ＵＥが接続状態に入った後、同時に複数のセルを介して源基地局と通信できるため、ＵＥが依然としてＬＴＥと同様の方式で報告する場合は、ＵＥは基地局がアグリゲーションのためにＵＥにどのコンポーネントキャリアを構成するかを予測できないことから、全般的な状況を考えて、測定間隔が要求される場合に基地局が測定間隔を構成しないという問題を避けるため、ＵＥは、測定を実行するために、概ねすべての周波数バンドに対して測定間隔を要求し、これによって、測定間隔がＵＥによって要求されない場合に、基地局は測定間隔を設定し、測定間隔の定義に基づいて、測定間隔の所定期間内に、基地局はＵＥをスケジュールしない一方で、基地局はＵＥを期間内で正確にスケジュールすることができるため、結果として、不必要な測定間隔は疑いなく大きなリソースの浪費を引き起こす。
【発明の概要】
【発明が解決しようとする課題】
【０００８】
これを鑑みて、本発明の主な目的は、ＵＥの測定能力が正確に報告され、キャリアアグリゲーションシナリオにおいてＵＥを用いて測定を行う場合に引き起こされる可能性があるリソース浪費を避けることができる、測定能力を報告する方法及びそのためのＵＥを提供することにある。
【課題を解決するための手段】
【０００９】
上記目的を達成するために、本発明の技術的解決法が以下のように実施される。
測定能力を報告する方法であって、ユーザ装置ＵＥが自身の測定能力を基地局に報告するステップを含み、前記測定能力は、ＵＥが１つの周波数バンド又はキャリアアグリゲーションのシナリオで動作する場合に、ＵＥが異周波数及び異システム測定を実行するために、測定間隔が要求されるかどうかの能力である。
ＵＥが自身の測定能力を基地局に報告した後には、当該方法は、ＵＥのアグリゲーションのために構成されたキャリアが属する周波数バンド、現在構成されている測定タスクの測定オブジェクトのためのキャリア周波数が属する周波数バンド、及び、ＵＥの測定能力に応じて、基地局がＵＥのために測定間隔を構成するかどうかを決定するステップを更に含む。
【００１０】
ＵＥが自身の測定能力を基地局に報告する前には、当該方法は、基地局がＵＥ能力照会メッセージをＵＥに送信するステップを更に含む。
当該方法は、ＵＥが自身の測定能力を基地局に報告するとともに、自身のキャリアアグリゲーション能力を報告するステップを更に含む。
前記ＵＥが、付加的な測定能力を有する場合は、ＵＥが自身の測定能力を基地局に報告することは、付加的な測定能力と組み合わせて報告を行うことである。
最大ｎ個のキャリアアグリゲーションをサポートする場合、キャリアアグリゲーションシナリオはｎ個のキャリアがアグリゲートされるシナリオを含む。
最大ｎ個のキャリアアグリゲーションをサポートする場合、キャリアアグリゲーションシナリオは、１つのキャリア、及び／又は２つのキャリア、及び／又は３つのキャリア、……、及び／又はｎ−１個のキャリアアグリゲートされるシナリオを更に含んでもよい。
ＵＥによって報告されたＵＥ測定能力は、キャリアアグリゲーション能力をサポートするインデックスと、同じである。
【００１１】
ＵＥであって、当該ＵＥは、自身の測定能力を基地局に報告するように設定されており、前記測定能力は、ＵＥが１つの周波数バンド又はキャリアアグリゲーションのシナリオにおいて動作する場合、異周波数及び異システム測定を実行するための測定間隔がＵＥに要求されるかどうかの能力である。
前記ＵＥが自身の測定能力を基地局に報告するステップは、ＵＥが基地局によって送信されたＵＥ能力照会メッセージに応じて報告を行うことである。
ＵＥは、自身の測定能力を基地局に報告するとともに、自身のキャリアアグリゲーション能力を報告するように更に設定される。
ＵＥが付加的な測定能力を有する場合、ＵＥが自身の測定能力を基地局に報告することは、前記付加的な測定能力と組み合わせて報告を行うことである。
【００１２】
本発明の実施形態に記載の測定能力を報告する方法及びそのためのＵＥによれば、ＵＥは自身の測定能力を基地局に報告し、前記測定能力は、ＵＥが１つの周波数バンド又はキャリアアグリゲーションのシナリオにおいて動作する場合、異周波数及び異システム測定を実行するための測定間隔がＵＥに要求されるどうかの能力であり、基地局がＵＥの測定能力を取得した後、基地局は、ＵＥのアグリゲーションのために構成したキャリアが属する周波数バンド、現在構成されている測定タスクの測定オブジェクトのためのキャリア周波数が属する周波数バンド、及び、ＵＥの測定能力に応じて、ＵＥのために測定間隔を構成するかどうかを決定する。本発明はＵＥの能力報告を拡張し、キャリアアグリゲーションにおける測定能力の内容を含み、具体的には、キャリアアグリゲーションシナリオに基づいて、この時各周波数バンドを測定するために測定間隔が要求されるどうかが報告され、基地局はこの能力に応じて測定間隔をＵＥに構成し、これによって必要がない場合に、基地局はＵＥに測定間隔を構成しなくてよいため、異周波数及び異システム測定のサービスに対する影響が低減され、ＵＥがキャリアアグリゲーションシナリオで測定を行う場合に起こる可能性のあるリソース浪費を避けることができる。
【図面の簡単な説明】
【００１３】
【図１】関連技術におけるＵＥが測定能力を報告するフローチャートである。
【図２】実施形態におけるＵＥの構造模式図である。
【図３】本発明の実施形態の測定能力を報告する方法のフローチャートである。
【図４】本発明の実施形態１におけるＵＥが測定能力を報告する、及び基地局が測定構成を行うフローチャートである。
【図５】本発明の実施形態２におけるＵＥの構造模式図である。
【図６】本発明の実施形態３におけるＵＥの構造模式図である。
【発明を実施するための形態】
【００１４】
本発明の基本概念は、ＵＥが自身の測定能力を基地局に報告し、前記測定能力は、ＵＥが１つの周波数バンド又はキャリアアグリゲーションのシナリオにおいて動作する場合、異周波数及び異システム測定を実行するための測定間隔がＵＥに要求されるかどうかの能力である。基地局がＵＥの測定能力を取得した後、ＵＥのアグリゲーションのために構成したキャリアが属する周波数バンド、現在構成されている測定タスクの測定オブジェクトのためのキャリア周波数が属する周波数バンド、及び、ＵＥの測定能力に応じて、基地局がＵＥのために測定間隔を構成するかどうかを決定する。
図３は、本発明の実施形態の測定能力を報告する方法のフローチャートであり、図３に示すように、当該方法は下記のステップを含む：
ステップ３０１：ＵＥが自身の測定能力を基地局に報告し、前記測定能力は、ＵＥが１つの周波数バンド又はキャリアアグリゲーションのシナリオで動作する場合、異周波数及び異システム測定を実行するための測定間隔がＵＥに要求されるかどうかの能力である。
【００１５】
ここで、ＵＥは一般的に基地局から送信されるＵＥ能力照会メッセージに応じて、自身の測定能力を基地局に報告し、言うまでもなく、それとともにＵＥは自身のキャリアアグリゲーション能力等を報告してもよい。
なお、ＵＥが１つのみの受信機を有するシナリオにおいて、この時、連続的なキャリアアグリゲーションをサポート、即ちＵＥが１つの周波数バンド内でのみ動作できると、ＵＥが特定の周波数バンド（ＵＥがサポートする周波数バンド）で動作する場合に、各周波数バンドのために異周波数及び異システム測定を実行するための測定間隔がＵＥに要求されるがどうかの能力である。本発明において、異周波数は、動作周波数バンドが同じ周波数バンドにある異周波数、及び、動作周波数バンドが異なる周波数バンドにある異周波数を含む。
ＵＥが複数の受信機を有するシナリオにおいて、ＵＥがｎ個のキャリアをサポートする場合、キャリアアグリゲーションシナリオは、１つのキャリア、２つのキャリア、３つのキャリア……、ｎ−１個のキャリア、及び、ｎ個のキャリアがアグリゲートされるシナリオを含み、この時、ＵＥが特定の周波数バンドで動作する場合、又は、ｎ個のキャリアがアグリゲートされるシナリオにおいて、複数の周波数バンド上のキャリアがアグリゲートされる場合、ＵＥは、各周波数バンドのために異周波及び数異システム測定を実行するための測定間隔が要求されるどうかの能力のみを報告してよく、ＵＥが特定の周波数バンドで動作する場合、又は、１つのキャリア、及び／又は２つのキャリア、及び／又は３つのキャリア、……、及び／又はｎ−１個のキャリアがアグリゲートされるシナリオにおいて、複数の周波数バンド上のキャリアがアグリゲートされる場合、ＵＥは、各周波数バンドのために異周波数及び異システム測定を実行するための測定間隔が要求されるかどうかの能力をさらに報告してもよい。
【００１６】
なお、ＵＥが付加的な測定能力、即ち測定を実行する独立したモジュールを有する場合、当該付加的な測定能力（即ち測定モジュールの能力）と組み合わせて測定能力を報告し、例えば、測定モジュールが周波数バンド１−７における測定をサポートする場合は、周波数バンド１−７における測定を実行するための測定間隔が要求されず、周波数バンド１／３／４／５における測定のみをサポートする場合、ＵＥが周波数バンド１／３／４／５における測定を実行するための測定間隔が要求されず、周波数バンド２／６／７における測定を実行するための測定間隔が要求されることを報告する。
ステップ３０２：ＵＥの測定能力を取得した後、基地局は、ＵＥのアグリゲーションのために構成したキャリアが属する周波数バンド、現在構成されている測定タスクの測定オブジェクトのためのキャリア周波数が属する周波数バンド、及び、ＵＥの測定能力に応じて、ＵＥのために測定間隔を構成するかどうかを決定する。
【００１７】
本発明は、対応するＵＥをさらに提供し、当該ＵＥは自身の測定能力を基地局に報告するように設定され、前記測定能力は、ＵＥが１つの周波数バンド又はキャリアアグリゲーションシナリオにおいて動作する場合、異周波数及び異システム測定を実行するための測定間隔がＵＥに要求されるかどうかの能力である。
ＵＥが自身の測定能力を基地局に報告するステップは、ＵＥが基地局によって送信されたＵＥ能力照会メッセージに応じて報告を行うことである。
ＵＥは、自身の測定能力を基地局に報告するとともに、自身のキャリアアグリゲーション能力を報告するように更に設定される。
ＵＥが付加的な測定能力を有する場合、ＵＥが自身の測定能力を基地局に報告するステップは、前記付加的な測定能力と組み合わせて報告を行うことである。
以下、図面及び具体的な実施形態を参照しながら、技術的解決法の実施を更に詳細に説明する。
【００１８】
実施形態１
本発明の実施形態１において、ＵＥが測定能力を報告するフローチャート及び測定構成を実行する基地局が、図４に示される。本実施形態では、Ｅ−ＵＴＲＡＮシステムにおいてその中心周波数がＦ１にあるｃｅｌｌ１でＲＲＣ確立プロセスを完了した後、ＵＥは接続状態にあり、Ｆ１は周波数バンド１に属し、ＵＥは２つの独立した受信機を有し、それぞれ２０Ｍの帯域幅をサポートし、当該ＵＥの構造は図２に示され、受信機１は周波数バンド１／２／３における動作をサポートし、受信機２は周波数バンド１／４／５における動作をサポートし、以下の実施形態はいずれも図２に示すようなＵＥに基づく。ここでは、ＵＥは初期設定で受信機１を用いてｃｅｌｌ１におけるデータ通信を処理する。
基地局は、ＵＥに能力情報を報告するように要求し、ＵＥは自身の能力に応じて、以下のようなキャリアアグリゲーション能力情報を報告する。多くとも２つのキャリアのアグリゲーションをサポートし、ここで、第１周波数バンドと第２周波数バンドには順番がなく、第１周波数バンドと第２周波数バンドにおける周波数におけるキャリアアグリゲーションをサポートすることを記載するためだけに、実施形態１においてＵＥによって報告されたキャリアアグリゲーション能力が表１．１に示される。
【表１．１】
0005714124.tif 000002
【００１９】
同時に、ＵＥは、異周波数及び異システム測定を実行するための測定間隔が要求されるかどうかの２つの部分を含む能力情報を報告し、第一に、ＵＥが単一周波数バンドにおいて動作するシナリオにおける、ＵＥの能力情報が表１．２に示される。
【表１．２】
0005714124.tif 000003
【００２０】
受信機１及び受信機２の両方が周波数バンド１における動作をサポートするため、ＵＥが周波数バンド１でのみ動作する場合、ＵＥは、初期設定で受信機１を用いて処理し（ＵＥは内部実装に応じて、どの受信機を用いて処理するとより省電力かを評価し、受信機２を用いることが省電力である場合は、初期設定で受信機２を用いて処理し、以下同様である）、表１．２における一行目に示すように、ＵＥは現在周波数バンド１で動作しており、受信機２が周波数バンド１／４／５における異周波数測定を実行することができるため、周波数バンド１／４／５における測定を実行するための測定間隔が要求されず、受信機２が周波数バンド２／３をサポートしないため、周波数バンド２／３の測定を実行するための測定間隔は要求されない。
第二に、ＵＥがデュアル周波数バンドで動作するシナリオにおけるＵＥの能力情報は表１．３に示され、ここで、表１．３中の番号は表１．１中の番号に対応し、ＵＥは、各組み合わせ（即ち、各番号）に対して周波数バンド１−５における異周波数及び異システム測定を実行するための測定間隔が要求されるかどうかを報告しなければならず、表１．３中のシリアル番号は報告しなくてもよく、表１．１に記載のアグリゲートされる２つのキャリアの組み合わせで直接置き換えてもよく、例えば、シリアル番号４は、（２、１）で置き換えられ、周波数バンド２における周波数、及び、周波数バンド１のキャリアアグリゲーションを実行することができる周波数を示す：
【表１．３】
0005714124.tif 000004
【００２１】
基地局は、実際の要求に応じた、ＲＲＣ再構成メッセージを介してＵＥのために以下の測定タスクを構成し、ここで、Ｆ２は周波数バンド１に属する：
ＭＩＤ＝１、ＭＯ＝Ｆ１、ＲＣ＝Ａ３
ＭＩＤ＝２、ＭＯ＝Ｆ２、ＲＣ＝Ａ３
その一方で、ＵＥの能力（表１．２）に応じて、基地局は、ＵＥが周波数バンド１（Ｆ１）で動作する場合に、周波数バンド１における異周波数（Ｆ２）測定を実行するための測定間隔が要求されないことを決定するため、測定間隔をＵＥに構成せず、測定タスクの構成を受信した後、ＵＥは測定タスクにおける測定を実行する。
後続で、サービス要求、及びＵＥの能力（即ち周波数バンド１及び周波数バンド１における異周波数セルでアグリゲーションを実行することをサポートすること）に応じて、基地局は、ＲＲＣ再構成メッセージを介して、その中心周波数がＦ２上であるｃｅｌｌ２でアグリゲーションを行うように構成する。
また、実際の要求に応じて、基地局は、ＲＲＣ再構成メッセージを介してＵＥに以下のような測定タスクを更に構成し、ここで、Ｆ３は周波数バンド４に属する：
ＭＩＤ＝３、ＭＯ＝Ｆ３、ＲＣ＝Ａ３
【００２２】
その一方で、ＵＥの能力（表１．３）に応じて、基地局は、ＵＥが周波数バンド１（Ｆ１）及び周波数バンド１（Ｆ２）でアグリゲーションを行う場合に、周波数バンド４における異周波数（Ｆ３）を測定するための測定間隔が要求されることを決定するため、基地局は、ＲＲＣ再構成メッセージを介して測定間隔をＵＥに構成する必要が更にあり（このＲＲＣ再構成メッセージは、上記ＭＩＤ＝３が構成されるＲＲＣ再構成メッセージと同一であってもよい）、測定タスクと測定間隔の構成を受信した後、ＵＥは、測定間隔により特定される期間内に測定タスクＭＩＤ＝３の測定を実行する。
後続で、実際の要求に応じて、基地局は、ＲＲＣ再構成メッセージを介してＵＥに以下のような測定タスクを更に構成し、ここで、Ｆ４は周波数バンド５に属する：
ＭＩＤ＝４、ＭＯ＝Ｆ４、ＲＣ＝Ｂ２
その一方で、ＵＥの能力（表１．２）に応じて、基地局は、ＵＥが周波数バンド１（Ｆ１）と周波数バンド１（Ｆ２）でアグリゲーションを行う場合、周波数バンド５における異周波数（Ｆ４）を測定するための測定間隔が要求されることを決定するが、基地局は既に測定間隔をＵＥに構成しているため、この時、基地局は、測定間隔を再び構成する必要がなく、測定タスクを受信した後、ＵＥは、測定間隔により特定される期間内に測定タスクＭＩＤ＝４の測定を実行する。
【００２３】
実施形態２
ＥＵＴＲＡＮシステムにおけるその中心周波数がＦ１であるｃｅｌｌ１でＲＲＣ確立プロセスを完了した後、ＵＥは接続状態にあり、Ｆ１は周波数バンド１に属し、図５は、図４に示される本発明の実施形態２におけるＵＥの構造模式図であり、、ＵＥは３つの独立した受信機を有し、それぞれ２０Ｍの帯域幅をサポートし、ＵＥは初期設定で受信機１を用いてｃｅｌｌ１のデータ通信を処理する。
基地局はＵＥに能力情報を報告するように要求し、ＵＥは自身の能力に応じて、以下のようなキャリアアグリゲーション能力情報を報告する。多くとも３つのキャリアのアグリゲーションをサポートし、ここで、第１周波数バンド、第２周波数バンド、及び、第３周波数バンドには特定の順番がなく、ＵＥが第１周波数バンド、第２周波数バンド、及び、第３の周波数バンドにおける周波数でのキャリアアグリゲーションをサポートする事実を記載するだけで、実施形態２においてＵＥが報告した３つのキャリアアグリゲーション能力は、表２．１に示す通りである：
【表２．１】
0005714124.tif 000005
【００２４】
その一方で、ＵＥは異周波数及び異システム測定を実行するための測定間隔が要求されるかどうかの能力情報を報告し、多くとも３つのキャリアのアグリゲーションをサポートするため、能力情報は３つの部分、即ちＵＥが単一キャリアで動作する場合、２つのキャリアがアグリゲートされるシナリオで動作する場合、３つのキャリアがアグリゲートされるシナリオで動作する場合の能力情報を含み、ここで、ＵＥが単一周波数バンドで動作するシナリオにおけるＵＥの能力情報は（ＵＥが単一周波数バンド５において動作する場合、ＵＥは初期設定で受信機２を用いるて処理する）表２．２に示す通りである：
【表２．２】
0005714124.tif 000006
【００２５】
第二に、ＵＥが２つのキャリアがアグリゲートされるシナリオにおいて動作する場合のＵＥの能力情報は：表２．１における能力情報は、３つのキャリアがアグリゲートされるシナリオにおいてＵＥが動作するシナリオに基づいているため、基地局は表２．１に基づいてどの２つの周波数バンドのキャリアかが分かるため、ＵＥがキャリアアグリゲーション能力を報告する場合、アグリゲートされる２つのキャリアの組み合わせを報告する必要はないが、ＵＥは測定能力を報告する場合にキャリアを認識する必要があり、実施形態２においてＵＥがデュアル周波数バンドで動作する場合の能力情報は、表２．３に示す通りである：
【表２．３】
0005714124.tif 000007
【００２６】
最後に、３つのキャリアがアグリゲーショトされるシナリオにおいてＵＥが動作する場合のＵＥの能力情報は、表２．４に示す通りである：
【表２．４】
0005714124.tif 000008
【００２７】
表２．４中のシリアル番号が表２．１中のそれに対応し、ＵＥは、各組み合わせ即ち各番号に対して、いずれも周波数バンド１−７における異周波数測定を実行するための測定間隔が要求されるかどうかを報告する。なお、ＵＥが付加的な測定能力、即ち測定を実行する独立した測定モジュールを有する場合、当該付加的な測定能力及び測定モジュールの能力に応じて報告、即ち測定モジュールが周波数バンド１−７の測定をサポートする場合、周波数バンド１−７における測定を実行するための測定間隔は要求されず、周波数バンド１／３／４／５の測定のみをサポートする場合、ＵＥは周波数バンド１／３／４／５における測定を実行するための測定間隔が要求されないことを報告し、周波数バンド２／６／７における測定を実行するための測定間隔が要求されないことを報告する。
シナリオ１：２つのキャリアがアグリゲートされる。ＵＥのサービス要求及び能力、即ち周波数バンド１及び周波数バンド１における異周波数セルのアグリゲーションをサポートする能力に応じて、基地局は、ＲＲＣ再構成メッセージを介して、その中心周波数がＦ２にあるｃｅｌｌ２でアグリゲーションを行うように構成し、ここで、Ｆ２は周波数バンド１に属する。その一方で、基地局はＲＲＣ再構成メッセージを介してＵＥに以下のような測定タスクを構成する：
ＭＩＤ＝１、ＭＯ＝Ｆ１、ＲＣ＝Ａ３
ＭＩＤ＝２、ＭＯ＝Ｆ２、ＲＣ＝Ａ３
ＭＩＤ＝３、ＭＯ＝Ｆ５、ＲＣ＝Ａ３
ＭＩＤ＝４、ＭＯ＝Ｆ６、ＲＣ＝Ｂ２
ここで、Ｆ５は周波数バンド５に属し、Ｆ６は周波数バンド６に属する。
【００２８】
ＵＥの能力（表２．３に示すように）に応じて、ＵＥが周波数バンド１（Ｆ１）及び周波数バンド１（Ｆ２）がアグリゲートされるシナリオにおいて動作する場合に、基地局は、ＵＥが周波数バンド５において異周波数（Ｆ５）測定を実行するための測定間隔が要求されないことを決定し、ＵＥが周波数バンド６において異システム（Ｆ６）測定を実行するための測定間隔が要求されないないことを決定するため、測定間隔をＵＥのために構成せず、測定タスクの構成を受信した後、ＵＥは測定タスクにおける測定を実行する。
後続で、要求に応じて、基地局は、ＲＲＣ再構成メッセージを介して、ＵＥに以下のような測定タスクを更に構成し、ここで、Ｆ３は周波数バンド３に属し、Ｆ４は周波数バンド４に属する：
ＭＩＤ＝５、ＭＯ＝Ｆ３、ＲＣ＝Ａ３
ＭＩＤ＝６、ＭＯ＝Ｆ４、ＲＣ＝Ｂ２
ＵＥの能力（表２．３に示すように）に応じて、ＵＥが周波数バンド１（Ｆ１）及び周波数バンド１（Ｆ２）がアグリゲートされるシナリオにおいて動作する場合に、基地局は、ＵＥが周波数バンド３において異周波数（Ｆ３）測定を実行するための測定間隔が要求され、ＵＥが周波数バンド４において異システム（Ｆ４）測定を実行するための測定間隔が要求されることを決定するため、基地局は、ＲＲＣ再構成メッセージを介してＵＥに更に測定間隔（このＲＲＣ再構成メッセージは、上記構成ＭＩＤ＝５／６のＲＲＣ再構成メッセージと同一でよい）を構成する必要があり、測定タスクと測定間隔の構成を受信した後、ＵＥは、測定間隔で特定される期間内に測定タスクＭＩＤ＝５／６における測定を実行する。
【００２９】
シナリオ２：３つのキャリアがアグリゲートされる。ＵＥのサービス要求及び能力（表２．１に示すように）、即ち周波数バンド１、及び、周波数バンド１における異周波数セル、及び、周波数バンド５における異周波数セルにおけるアグリゲーションををサポートする能力に応じて、基地局は、ＲＲＣ再構成メッセージを介して、その中心周波数がＦ５にあるｃｅｌｌ３でアグリゲーションを行うように構成し、ここで、Ｆ５は周波数バンド５に属する。その一方で、基地局は新しい測定タスク構成を追加しないため、ＵＥの能力（表２．４に示すように）に応じて、基地局は、周波数バンド１（Ｆ１）、及び、周波数バンド１（Ｆ２）、及び、周波数バンド５（Ｆ５）でアグリゲーションが実行される場合に、ＵＥが周波数バンド３における異周波数（Ｆ３）測定を実行するための測定間隔が要求されることを決定し、ＵＥが周波数バンド４／６における異システム（Ｆ４／６）測定を実行するための測定間隔もまた要求されるため、基地局はもとの測定間隔構成を保持し、測定タスクの構成を受信した後、ＵＥは測定間隔で特定される期間内に測定タスクＭＩＤ＝４／５／６の測定を実行する。
本実施形態では、ＵＥが３つのキャリアがアグリゲートされるシナリオにおいて動作する場合、ＵＥは、異周波数及び異システム測定を実行するための測定間隔が要求されるかどうかの能力のみを報告してよく、ＵＥが単一キャリア及び２つのキャリアがアグリゲートされるシナリオで動作する場合、異周波数及び異システム測定を実行するための測定間隔が要求されるかどうかの能力に対しては、表２．１中の第１０〜１８番目の組み合わせのように、ＵＥによって報告されたキャリアアグリゲーション能力（表２．１に示すように）に基づいて算出でき、ＵＥが周波数バンド１のみで動作する場合、周波数バンド１／４／５／６／７における測定を実行するための測定間隔は要求されないと示し、第４／５／６番目の組み合わせは、ＵＥが周波数バンド１及び周波数バンド４においてアグリゲーションを行う場合、周波数バンド５／６／７における測定を実行するための測定間隔が要求されないと示す。
【００３０】
実施形態３
ＥＵＴＲＡＮシステムにおけるその中心周波数がＦ１であるｃｅｌｌ１でＲＲＣ確立プロセスを完了した後、ＵＥは接続状態にあり、Ｆ１は周波数バンド１に属し、図６は、図５に示される本発明の実施形態３におけるＵＥの構造模式図であり、ＵＥは４０Ｍの帯域幅をサポートする１つの独立した受信機を有する。
基地局はＵＥに能力情報を報告するように要求し、ＵＥは自身の能力に応じて、以下のキャリアアグリゲーション能力情報を報告する：多くとも１つのキャリアのアグリゲーションをサポートし、サポートする最大帯域幅が４０ＭＨｚであり、ＵＥが報告するキャリアアグリゲーション能力情報は表３．１に示す通りである：
【表３．１】
0005714124.tif 000009
【００３１】
その一方で、ＵＥは異周波数及び異システム測定を実行するための測定間隔が要求されるかどうかの能力情報を更に報告し、表３．２に示す通りである：
【表３．２】
0005714124.tif 000010
【００３２】
基地局は、実際の要求に応じたＲＲＣ再構成メッセージを介して、ＵＥに以下のような測定タスクを構成し、ここで、Ｆ２は周波数バンド１に属する：
ＭＩＤ＝１、ＭＯ＝Ｆ１、ＲＣ＝Ａ３
ＭＩＤ＝２、ＭＯ＝Ｆ２、ＲＣ＝Ａ３
その一方で、ＵＥの能力（表３．２）、即ちＵＥが周波数バンド１（Ｆ１）において動作する場合に、周波数バンド１における異周波数（Ｆ２）測定を実行するための測定間隔が要求される能力に応じて、基地局は、ＲＲＣ再構成メッセージを介してＵＥのために測定間隔（このＲＲＣ再構成メッセージは、上記構成ＭＩＤ＝１／２のＲＲＣ再構成メッセージとが同一であってもよい）をさらに構成する必要があり、測定タスク及び測定間隔の構成を受信した後、ＵＥは測定間隔で特定された期間内に測定タスクＭＩＤ＝２の測定を実行する。
後続で、ＵＥのサービス要求及び能力（表３．１）、即ち周波数バンド１における異周波数セルで連続的なキャリアアグリゲーションを行うことをサポートする能力に応じて、基地局はＲＲＣ再構成メッセージを介して、その中心周波数がＦ２にあるｃｅｌｌ２でアグリゲーションを行うように構成し、Ｆ１とＦ２は連続する。
【００３３】
また、要求に応じて、基地局は、ＲＲＣ再構成メッセージを介して、ＵＥに以下のような測定タスクを更に構成し、ここで、Ｆ３は周波数バンド３に属する：
ＭＩＤ＝３、ＭＯ＝Ｆ３、ＲＣ＝Ａ３
その一方で、ＵＥの能力（表３．２）、即ち周波数バンド１（Ｆ１）及び周波数バンド１（Ｆ２）においてアグリゲーションが実行される場合（Ｆ１とＦ２が連続するため、ＵＥがこの時に周波数バンド１で動作する）に、周波数バンド３における異周波数（Ｆ３）測定を実行するための測定間隔が要求されるかどうかの能力に応じて、基地局はＵＥのために既に測定間隔を設定しているため、基地局は測定間隔を再び構成する必要がなく、測定タスクを受信した後、ＵＥは測定間隔で特定された期間内に測定タスクＭＩＤ＝３の測定を実行する。
以上の説明は、本発明の好適な実施形態に過ぎず、本発明を限定するものではない。本発明の趣旨及び範囲を逸脱することなく実施されるあらゆる修正、同等の置換及び改良等は、すべて本発明の保護範囲に属する。
【産業上の利用可能性】
【００３４】
本発明の実施形態はＵＥ能力報告を拡張し、キャリアアグリゲーションにおける測定能力の内容を含み、特にキャリアアグリゲーションシナリオに基づいて、各周波数バンドを測定するには測定間隔が要求されるかを報告し、基地局はこの能力に応じて測定間隔をＵＥに構成することが可能であり、これによって基地局は必要がない場合にはＵＥに測定間隔を構成しなくてよいため、異周波数及び異システム測定のサービスに対する影響が低減され、ＵＥがキャリアアグリゲーションシナリオにおいて測定を実行する場合に引き起こされる可能のあるリソース浪費を避けることができる。
【図１】
0005714124.tif 000011
【図２】
0005714124.tif 000012
【図３】
0005714124.tif 000013
【図４】
0005714124.tif 000014
【図５】
0005714124.tif 000015
【図６】
0005714124.tif 000016